(57)【要約】【課題】  簡便な構造とすることで製造コストを削減するとともに、容易に、且つ確実に切削水を分離処理する切削水処理装置を提供すること。【解決手段】  本発明の切削水処理装置は、切削水を収容する容器本体と、該容器本体に具備された、容器本体内で分離した切削水の油分を排出する第一排出具と、容器本体内で分離した切削水の水分を排出する第二排出具を備えたことを特徴とする。  また前記容器本体は、収容された切削水を可視できるよう透明または半透明に形成した。【選択図】図１
2014012325.tif 000002
【特許請求の範囲】
【請求項１】
切削水を収容する容器本体と、該容器本体に具備された、容器本体内で分離した切削水の油分を排出する第一排出具と、容器本体内で分離した切削水の水分を排出する第二排出具を備えたことを特徴とする切削水処理装置。
【請求項２】
前記容器本体は、収容された切削水を可視できるよう透明または半透明に形成されている請求項１記載の切削水処理装置。
【請求項３】
前記第一排出具と第二排出具は、ノズルを上下動させることにより容器内の切削水を排出もしくは封止する請求項１または２に記載の切削水処理装置。
【請求項４】
前記第一排出具は第二排出具の上部に具備されているとともに、前記第一排出具と第二排出具は、正面視において適宜間隔を有する状態に装着されている請求項１乃至３のうちいずれか１項に記載の切削水処理装置。
【発明の詳細な説明】
【技術分野】
【０００１】  本発明は、簡便な構造で容易に、且つ確実に切削水を分離処理することができる切削水処理装置に関する。
【背景技術】
【０００２】  切削水は、金属などの切削加工を行う際に、摩擦抑制と冷却のために使用するもので、加工点を潤滑、冷却することにより、加工精度や表面粗さを向上させ、工具の磨耗を抑制する効果を有する。また、切り屑を加工工具や被削材から洗い流し、切り屑の堆積による加工不良の発生を抑える働きもある。
【先行技術文献】
【特許文献】
【０００３】  また上記の切削水に関連する従来技術として、工作機械による製品の切削加工時に発生する使用済み切削水の処理装置がある（例えば特許文献１参照）。
上掲特許文献１の切削水処理装置は、仕切り板で区画された複数の槽からなる濾過槽を有し、前記使用済み切削水が最初に導入される第１槽内は、槽底部近傍のみが通水可能な形状の仕切り板によって上流側および下流側に分断され、前記第１槽の下流側と次に切削水が移送される第２槽とを区画する仕切り板は水面近傍の切削水のみが通水可能な形状とされ、さらに前記第２槽と次に切削水が移送される第３とを区画する仕切り板は、水深のほぼ１／２の深さ付近に切削水通過用の孔が設けられ、更に前記第３槽は連続して複数形成され、これらの連続した第３槽を区画する仕切り板はいずれも水深のほぼ１／２の深さ付近に切削水通過用の孔が形成され、これら孔の開口位置は隣接する仕切り板の開口位置と水平方向において異なった位置とすることでジュグザグの流路として流路を長くし流路を速めることを特徴とする。
【特許文献１】特許第４３９３３２７号公報
【発明の概要】
【発明が解決しようとする課題】
【０００４】  しかしながら、上掲特許文献１の切削水処理装置は、装置が大掛かりになるため、製造コストのアップに繋がるという問題が生じた。また、切削水が各槽を移送する際に油と水が混合されて、切削水中の切粉や油を回収分離する効果が低下するとい欠点もあった。【０００５】  そこで本発明は上記の点に鑑み、簡便な構造とすることで製造コストを削減するとともに、容易に、且つ確実に切削水を分離処理することができる切削水処理装置を提供することにある。
【解決を解決するための手段】
【０００６】  上記課題を解決するために本発明の切削水処理装置は、切削水を収容する容器本体と、該容器本体に具備された、容器本体内で分離した切削水の油分を排出する第一排出具と、容器本体内で分離した切削水の水分を排出する第二排出具を備えたことを特徴とする。
【０００７】  また前記容器本体は、収容された切削水を可視できるよう透明または半透明に形成されている。
【０００８】  また前記第一排出具と第二排出具は、ノズルを上下動させることにより容器内の切削水を排出もしくは封止する。
【０００９】  さらに、前記第一排出具は第二排出具の上部に具備されているとともに、前記第一排出具と第二排出具は、正面視において適宜間隔を有する状態に装着されている。
【発明の効果】
【００１０】  切削水を収容する容器本体と、該容器本体に具備された、容器本体内で分離した切削水の油分を排出する第一排出具と、容器本体内で分離した切削水の水分を排出する第二排出具を備えたことにより、構造が極めて簡便であり、製造コストを大幅に削減することができる。
【００１１】  また前記容器本体は、収容された切削水を可視できるよう透明または半透明に形成されているため、切削水の分離状体と、分離された切削水の排水状態を一目で視認することができる。
【図面の簡単な説明】
【００１２】
【図１】本発明の切削水処理装置の断面図である。
【図２】切削水処理装置内に切削水を収容させた状態を示す。
【図３】切削水処理装置内の切削水が分離した状態を示す。
【図４】切削水処理装置内の油分を排水する状態を示す。
【図５】切削水処理装置内の水分を排水する状態を示す。
【図６】本発明の切削水処理装置の正面図である。
【図７】排出具の詳細を示す断面図である。
【発明を実施するための形態】
【００１３】  本発明の切削水処理装置は、簡便な構造とすることで製造コストを削減するとともに、容易に、且つ確実に切削水を分離処理することができることを特徴とする。
以下、本発明の切削水処理装置における実施の形態を図面に基づいて説明する。
【００１４】  図示する切削水処理装置１は、切削水Ａを収容する容器本体２と、該容器本体２に具備された、容器本体２内で分離した切削水Ａの油分ａを排出する第一排出具１０と、容器本体２内で分離した切削水Ａの水分ｂを排出する第二排出具２０を備えたことを特徴とする。
【００１５】  容器本体２は、防水性、耐候性、耐酸性、および軽量で加工性に優れた合成樹脂素材にて形成されている。また前記容器本体２の上部には、切削水Ａを取り入れる開口部３が具備されている。
【００１６】  また特に、前記容器本体２は、収容された切削水Ａを可視できるよう透明または半透明に形成されている。前記容器本体２を透明または半透明に形成することで、図示するように切削水Ａの収容量や、分離した油分ａと水分ｂの状態を外部より容易に可視することができる。
【００１７】  また前記容器本体２の側面には、容器本体２内で分離した切削水Ａの油分ａを排出する第一排出具１０と、容器本体２内で分離した切削水Ａの水分ｂを排出する第二排出具２０が設置されている。
【００１８】  第一排出具１０は、容器本体２内で分離した切削水Ａの油分ａを外部に排出するもので、図示するように、容器本体２の側面であって、容器本体２の略中央部分に設置されている。
【００１９】  また第二排出具２０は、容器本体２内で分離した切削水Ａの水分ｂを外部に排出するもので、図示するように、前記第一排出具１０の下部であって、第一排出具１０と容器本体２の底部の略中央部分に設置されている。
【００２０】  また前記第一排出具１０と第二排出具２０は、図６に示すように、正面視において適宜間隔を有する状態に装着されている。そのことにより、前記第一排出具１０より排出された油分ａは容器４に、前記第二排出具２０より排出された水分ｂは容器５に収容させることができる。
【００２１】  前記第一排出具１０は、図７の（ａ），（ｂ）に示すように、操作用の摘部１１と、摘部１１に具備された切欠部１３を有する筒状部１２とからなり、容器本体２の側面に設置された管部１４に可動自在に連結されている。
【００２２】  また前記第一排出具１０は、通常は（ａ）に示すように、管部１４内の油分ａは筒状部１２にて封止している。また容器本体２内の油分ａを排出する際は、（ｂ）に示すように、摘部１１を上昇させ、切欠部１３より油分ａを外部に排出させる。
【００２３】  容器本体２内で分離した切削水Ａの水分ｂを外部に排出する第二排出具２０は、前記前記第一排出具１０と同一に形成されているため構造の詳細は省略する。なお、第一排出具１０と第二排出具２０は、上述の構造に限定されるものではなく、一般家庭の水道に装着されている汎用の蛇口タイプのものであってもよい。
【００２４】  次に、本発明の切削水処理装置１の使用方法を図２乃至図６に基づいて説明する。
図２は、切削水処理装置１の容器本体２内に切削水Ａを収容させた状態を示す。この状態で、容器本体２は透明、または半透明にて形成されているため、切削水Ａの収容量は明確に視認することができる。
【００２５】  図３は、容器本体２内の切削水Ａの分離状態を示す。容器本体２内に収容された切削水Ａは、半日、もしくは一日経過すると、図示するように上部の油分ａと下部のクーラント液等の水分（ｂ）とに分離される。また容器本体２の底部には、タール等の沈殿物ｃが沈殿している。
【００２６】  図４は、容器本体２内で分離した上部の油分ａを、第一排出具１０から外部に排出した状態を示す。この際、容器本体２は透明、または半透明にて形成されているため、油分ａの量は明確に視認することができる。
【００２７】  図５は、容器本体２内で分離した下部の水分ｂを、第二排出具２０から外部に排出した状態を示す。この際、容器本体２は透明、または半透明にて形成されているため、油分ａと水分の量は明確に視認することができる。
【００２８】  なお、長期使用で容器本体２の底部に沈殿物ｃが堆積した際は、開口部３より水を投入して開口部３、第一排出具１０、第二排出具２０のいずれから廃棄することができる。
【００２９】  上述の如く、本発明の切削水処理装置１は、切削水Ａを収容する容器本体２と、該容器本体２に具備された、容器本体２内で分離した切削水Ａの油分ａを排出する第一排出具１０と、容器本体２内で分離した切削水Ａの水分ｂを排出する第二排出具２０を備えたことにより、簡便な構造とすることで製造コストを削減するとともに、容易に、且つ確実に切削水Ａを分離処理することができる。
【００３０】  また前記容器本体２は、収容された切削水Ａを可視できるよう透明または半透明に形成されているため、容器本体２内に収容する切削水Ａの量、分離した油分ａや水分ｂの量を外部より明確に視認することができる。
【符号の説明】
【００３１】１    切削水処理装置
２    容器本体
３    開口部
４    容器
５    容器
１０  第一排出具
１１  摘部
１２  筒状部
１３  切欠部
１４  管部
２０  第二排出具
Ａ    切削水
ａ    油分
ｂ    水分
ｃ    沈殿物
【図１】
2014012325.tif 000003
【図２】
2014012325.tif 000004
【図３】
2014012325.tif 000005
【図４】
2014012325.tif 000006
【図５】
2014012325.tif 000007
【図６】
2014012325.tif 000008
【図７】
2014012325.tif 000009